(57)【特許請求の範囲】
【請求項１】
情報送信方法であって、
ユーザが対象場所に居るか否かを検出するステップと、
前記ユーザが前記対象場所に居ない場合には、前記対象場所の扉や窓が開放状態であるか否かを検出するステップと、
前記対象場所の扉や窓が開放状態である場合には、前記ユーザの所持している機器に提示情報を送信するステップと、
を含み、
ユーザが対象場所に居るか否かを検出するステップは、
前記ユーザの所持している機器から送信される、前記ユーザの位置を示す第２情報を受信し、前記第２情報が、ユーザが居る現在の場所をカバーするネットワークである第１ネットワークにアクセスした各機器のリストである第１機器リストであり、且つ、前記対象場所に対応付けられて予め記憶された情報であって前記対象場所の位置を示す情報が、前記対象場所をカバーするネットワークである第２ネットワークにアクセスした各機器のリストである第２機器リストである場合には、前記第１機器リストと前記第２機器リストとの類似度に基づき、前記ユーザが前記対象場所に居るか否かを検出するステップを含む、
ことを特徴とする情報送信方法。
【請求項２】
前記対象場所の扉や窓が開放状態であるか否かを検出するステップは、
前記対象場所の扉や窓ごとに対応付けられたセンサから送信される状態情報を受信するステップと、
開放状態を示している状態情報の有無を検出するステップと、
開放状態を示している状態情報が存在する場合には、前記対象場所の扉や窓が開放状態であると確定するステップと、
を含む請求項１に記載の方法。
【請求項３】
情報送信装置であって、
ユーザが対象場所に居るか否かを検出するように構成された第１検出モジュールと、
前記ユーザが前記対象場所に居ないことを前記第１検出モジュールが検出した場合には、前記対象場所の扉や窓が開放状態であるか否かを検出するように構成された第２検出モジュールと、
前記対象場所の扉や窓が開放状態であることを前記第２検出モジュールが検出した場合には、前記ユーザの所持している機器に提示情報を送信するように構成された情報送信モジュールと、
を備え、
前記第１検出モジュールは、
前記ユーザの所持している機器から送信される、前記ユーザの位置を示す第２情報を受信すると共に、前記第２情報、および、前記対象場所に対応付けられて予め記憶された情報であって前記対象場所の位置を示す情報に基づき、前記ユーザが前記対象場所に居るか否かを検出するように構成された第２検出サブモジュールを含み、
前記第２検出サブモジュールは、
前記第２情報が、前記ユーザが居る現在の場所をカバーするネットワークである第１ネットワークにアクセスした各機器のリストである第１機器リストであり、且つ、前記予め記憶された情報が、前記対象場所をカバーするネットワークである第２ネットワークにアクセスした各機器のリストである第２機器リストである場合には、前記第１機器リストと前記第２機器リストとの類似度に基づき、前記ユーザが前記対象場所に居るか否かを検出するように構成されたリスト検出サブモジュールを含む
ことを特徴とする情報送信装置。
【請求項４】
前記第２検出モジュールは、
前記対象場所の扉や窓ごとに対応付けられたセンサから送信される状態情報を受信するように構成された情報受信サブモジュールと、
開放状態を示している状態情報の有無を検出するように構成された状態検出サブモジュールと、
開放状態を示している状態情報の存在を前記状態検出サブモジュールが検出した場合には、前記対象場所の扉や窓が開放状態であると確定するように構成された状態特定サブモジュールと、
を含むことを特徴とする請求項３に記載の装置。
【請求項５】
情報送信装置であって、
プロセッサと、
プロセッサが実行可能なコマンドを記憶するメモリと、を含み、
前記プロセッサは、
ユーザが対象場所に居るか否かを検出し、
前記ユーザが前記対象場所に居ない場合には、前記対象場所の扉や窓が開放状態であるか否かを検出し、
前記対象場所の扉や窓が開放状態である場合には、前記ユーザの所持している機器に提示情報を送信するように、構成され、
ユーザが対象場所に居るか否かを検出することは、
前記ユーザの所持している機器から送信される、前記ユーザの位置を示す第２情報を受信し、前記第２情報が、ユーザが居る現在の場所をカバーするネットワークである第１ネットワークにアクセスした各機器のリストである第１機器リストであり、且つ、前記対象場所に対応付けられて予め記憶された情報であって前記対象場所の位置を示す情報が、前記対象場所をカバーするネットワークである第２ネットワークにアクセスした各機器のリストである第２機器リストである場合には、前記第１機器リストと前記第２機器リストとの類似度に基づき、前記ユーザが前記対象場所に居るか否かを検出することを含む、
ことを特徴とする情報送信装置。
【請求項６】
プロセッサに実行されることにより、請求項１又は２に記載の方法を実現することを特徴とするプログラム。
【請求項７】
請求項６に記載のプログラムが記録された記録媒体。
【発明の詳細な説明】
【技術分野】
【０００１】
本願は、出願番号が２０１５１００２０６５２．６であり、出願日が２０１５年１月１５日である中国特許出願、および、出願番号が２０１５１００４２０５７．２であり、出願日が２０１５年１月２８日である中国特許出願に基づき提出し、これら中国特許出願の優先権を主張する。ここで、これら中国特許出願の全ての内容は、参考として本願に組み込まれているものとする。
【０００２】
本発明は、コンピュータ技術分野に関し、特に情報送信方法及び装置、プログラム及び記録媒体に関する。
【背景技術】
【０００３】
ユーザが自宅を離れる際は、扉や窓を閉め忘れると、不審者が扉や窓を開けることでユーザの自宅に侵入し、ユーザの財産を盗み出し、ユーザに甚大な被害をもたらす可能性がある。そのため、ユーザの外出後に扉や窓の状態を把握し、扉や窓が開放状態になっている場合にはユーザに注意喚起する必要がある。
【０００４】
関連技術としては、扉や窓に予めセンサを取り付け、ユーザの外出時間帯を設定するステップと、サーバが、外出時間帯に扉や窓が開放状態であるか否かを検出し、外出時間帯に扉や窓が開放状態である場合にはユーザの端末に提示情報を送信するステップと、を含む情報送信方法が提案されている。
【発明の概要】
【発明が解決しようとする課題】
【０００５】
本発明は、ユーザが外出時間帯以外の時間に自宅を離れることにより提示が正確でなくなるという課題を解決するための情報送信方法および装置、プログラム及び記録媒体を提供する。
【課題を解決するための手段】
【０００６】
本発明の実施例の第１態様によれば、情報送信方法であって、
ユーザが対象場所に居るか否かを検出するステップと、
前記ユーザが前記対象場所に居ない場合には、前記対象場所の扉や窓が開放状態であるか否かを検出するステップと、
前記対象場所の扉や窓が開放状態である場合には、前記ユーザの所持している機器に提示情報を送信するステップと、を含む情報送信方法を提供する。
【０００７】
本発明の実施例の第２態様によれば、情報送信装置であって、
ユーザが対象場所に居るか否かを検出するように構成された第１検出モジュールと、
前記ユーザが前記対象場所に居ないことを前記第１検出モジュールが検出した場合には、前記対象場所の扉や窓が開放状態であるか否かを検出するように構成された第２検出モジュールと、
前記対象場所の扉や窓が開放状態であることを前記第２検出モジュールが検出した場合には、前記ユーザの所持している機器に提示情報を送信するように構成された情報送信モジュールと、を備える情報送信装置を提供する。
【０００８】
本発明の実施例の第３態様によれば、情報送信装置であって、
プロセッサと、プロセッサが実行可能なコマンドを記憶するメモリと、を含み、
前記プロセッサは、
ユーザが対象場所に居るか否かを検出し、
前記ユーザが前記対象場所に居ない場合には、前記対象場所の扉や窓が開放状態であるか否かを検出し、
前記対象場所の扉や窓が開放状態である場合には、前記ユーザの所持している機器に提示情報を送信するように、構成されている情報送信装置を提供する。
【０００９】
本発明のその他の態様は、
プロセッサに実行されることにより、前記方法を実現することを特徴とするプログラムを提供する。
【００１０】
本発明のその他の態様は、
前記プログラムが記録された記録媒体を提供する。
【発明の効果】
【００１１】
本発明の実施例で提供される技術的構成は、次の有益な效果を奏する。
【００１２】
すなわち、ユーザが対象場所に居るか否かを検出し、ユーザが対象場所に居ない場合には、対象場所の扉や窓が開放状態であるか否かを検出し、対象場所の扉や窓が開放状態である場合には、ユーザの所持している機器に提示情報を送信する。これにより、ユーザが対象場所に居るか否かを外出時間帯に基づいて特定するのではなく、ユーザが対象場所に居るか否かを直接に検出することができるため、ユーザが外出時間帯以外の時間に自宅を離れることにより提示が正確でなくなるという課題を解決できる。
【００１３】
なお、上記の基本的な説明および後述の詳細な説明は、単に例示的なものであり、本発明を限定するものではないことが理解されるべきである。
【図面の簡単な説明】
【００１４】
ここでの図面は、明細書に組み込まれて明細書の一部を構成し、本発明に適合される実施例を示すものであり、明細書と共に本発明の原理の解釈に用いられる。
【図１】例示的な一実施例に係る情報送信方法を示すフローチャートである。
【図２Ａ】例示的な別の実施例に係る情報送信方法を示すフローチャートである。
【図２Ｂ】例示的な別の実施例に係る第２機器リストを示す模式図である。
【図２Ｃ】例示的な別の実施例に係る外出履歴を示す模式図である。
【図２Ｄ】例示的な別の実施例に係る提示情報を示す模式図である。
【図３】例示的な一実施例に係る情報送信装置を示すブロック図である。
【図４】例示的な一実施例に係る情報送信装置を示すブロック図である。
【図５】例示的な一実施例に係る情報送信のための装置を示すブロック図である。
【発明を実施するための形態】
【００１５】
ここで、図面に示された例示的な実施例を詳細に説明する。以下の記載において、図面を言及するとき、特に説明しない限り、異なる図面における同じ番号は同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない。
【００１６】
図１は、例示的な一実施例に係る情報送信方法を示すフローチャートである。該情報送信方法はサーバに適用される方法である。図１に示すように、該情報送信方法は次のステップを含む。
【００１７】
ステップ１０１では、ユーザが対象場所に居るか否かを検出する。
【００１８】
ステップ１０２では、ユーザが対象場所に居ない場合には、対象場所の扉や窓が開放状態であるか否かを検出する。
【００１９】
ステップ１０３では、対象場所の扉や窓が開放状態である場合には、ユーザの所持している機器に提示情報を送信する。
【００２０】
上記のように、本発明が提供する情報送信方法は、ユーザが対象場所に居るか否かを検出し、ユーザが対象場所に居ない場合には対象場所の扉や窓が開放状態であるか否かを検出し、対象場所の扉や窓が開放状態である場合にはユーザの所持している機器に提示情報を送信する。これにより、ユーザが対象場所に居るか否かを外出時間帯に基づいて特定するのではなく、ユーザが対象場所に居るか否かを直接に検出することができるため、ユーザが外出時間帯以外の時間に自宅を離れることにより提示が正確でなくなるという課題を解決し、提示の正確性を向上させる効果を奏している。
【００２１】
図２Ａは、例示的な別の実施例に係る情報送信方法を示すフローチャートである。該情報送信方法はサーバに適用される方法である。図２Ａに示すように、該情報送信方法は、次のステップを含む。
【００２２】
ステップ２０１では、ユーザが対象場所に居るか否かを検出する。
【００２３】
対象場所とは、監視する必要がある場所を指し、ユーザの自宅、ユーザの会社などである。なお、対象場所は一箇所であってもよく、複数の場所であってもよい。本実施例では対象場所の数が限定されない。
【００２４】
ユーザが対象場所に居る間は、通常、不審者が対象場所に侵入し財産を盗み出したりはしない。このときの対象場所のセキュリティ性が高く、対象場所を監視する必要がない。一方、ユーザが対象場所に居ない間は、不審者が対象場所に侵入し財産を盗み出す可能性がある。このときの対象場所のセキュリティ性が低く、対象場所を監視する必要がある。そこで、本実施例によれば、ユーザが対象場所に居るか否かを検出することで、対象場所を監視する必要があるか否かを判断することができる。
【００２５】
本実施例は、ユーザが対象場所に居るか否かを検出する２種類の検出方式を提供する。以下、この２種類の検出方式について説明する。
【００２６】
第１の検出方式では、対象場所における機器から送信される第１情報を受信し、ユーザが対象場所に居るか否かを第１情報に基づいて検出する。
【００２７】
なお、対象場所の機器は、赤外線センサ、スマートカメラ、スマートテレビ、スマートルータ、スマートランプなど、対象場所に取り付けられた機器であってもよい。第１情報とは、対象場所の機器が取得した情報であり、対象場所を表すものである。
【００２８】
本実施例は、第１情報が人の動き情報および監視情報である場合を例に、検出のプロセスについて説明する。この場合、ユーザが対象場所に居るか否かを第１情報に基づいて検出する処理は、次のステップを含む。
【００２９】
１）第１情報が人の動き情報である場合には、人の動き情報に基づき、予定時間帯に人が対象場所内で移動している否かを検出する。
２）第１情報が、対象場所を監視して得た監視情報である場合には、監視情報に基づき、ユーザが対象場所を離れたか否かを検出する。
【００３０】
まず、人の動き情報は「人の動き有り」を示すものであってもよく、「人の動き無し」を示すものであってもよいが、本実施例では、人の動き情報が「人の動き無し」を示す場合について説明する。
【００３１】
第１情報が人の動き情報である場合、第１情報を取得する機器としては、赤外線センサであってもよい。なお、人の動きの有無を赤外線センサにより監視する技術は既に周知されており、ここでその説明を省略する。
【００３２】
ユーザが一時的に、対象場所の赤外線センサが監視できない他のエリア内で活動するので、生成される人の動き情報が正確でなくなる、という問題がある。当該問題を避けるために、本実施例では、予定時間帯が設けられており、赤外線センサは予定時間帯において人の動きを監視する。なお、予定時間帯の開始時刻は、ユーザの動きが停止した時刻であってもよい。また、予定時間帯の時間長さは、例えば１時間や２時間など、デフォルト値であってもよく、ユーザまたはサーバが設定したものであってもよい。ユーザが３時に動き停止したことを赤外線センサが検出し、且つ時間長さが２時間であると仮定すると、この場合に確定される予定時間帯は、３時から５時までとなる。
【００３３】
実現可能な一形態として、予定時間帯において人の動きが無いことを赤外線センサが検出した場合には、人の動き情報を生成してサーバに送信し、サーバは、該人の動き情報に基づき、ユーザが対象場所に居ないと確定する。実現可能な別の形態として、赤外線センサが、予め設定された時間間隔おきに、人の動き情報をサーバに送信し、サーバは、予定時間帯に受信した全ての人の動き情報が、人の動きが無いことを示していると確定した場合には、ユーザが対象場所に居ないと確定する。
【００３４】
次に、監視情報は、対象場所におけるユーザの行為を示すものである。例えば、監視情報が映像である場合、第１情報を取得する機器としてはスマートカメラであってもよい。該監視情報は、ユーザが対象場所を出たことを示してもよく、ユーザが対象場所に入ったことを示してもよい。また、監視情報がスマート電子機器の使用情報である場合、第１情報を取得する機器としてはスマートテレビなどであってもよい。該監視情報は、対象場所におけるユーザの行為を示してもよい。
【００３５】
サーバは、対象場所の機器から送信された監視情報を受信すると、監視情報を解析し、ユーザが対象場所に居るか否かを確定する。例えば、監視情報が、ユーザが対象場所を出たことを示している場合には、ユーザが対象場所に居ないと確定する。監視情報が、ユーザが対象場所に入ったことを示している場合には、ユーザが対象場所に居ると確定する。監視情報が、ユーザがスマートテレビを付けていることを示している場合には、ユーザが対象場所に居ると確定する。
【００３６】
第２の検出する方式では、ユーザの所持している機器から送信される、ユーザの位置を示す第２情報を受信すると共に、第２情報、および、対象場所に対応付けられて予め記憶された情報であって対象場所の位置を示す情報に基づき、ユーザが対象場所に居るか否かを検出する。
【００３７】
第２情報がユーザの位置を示し、予め記憶された情報が対象場所の位置を示すため、サーバは、この２つの位置が同一であるか否かに基づき、ユーザが対象場所に居るか否かを確定することができる。
【００３８】
第２情報、および、対象場所に対応付けられて予め記憶された情報に基づき、ユーザが対象場所に居るか否かを検出する処理は、次のステップを含む。
【００３９】
１）第２情報が、ユーザが居る現在の場所をカバーするネットワークである第１ネットワークにアクセスした各機器のリストである第１機器リストであり、且つ、予め記憶された情報が、対象場所をカバーするネットワークである第２ネットワークにアクセスした各機器のリストである第２機器リストである場合には、第１機器リストと第２機器リストとの類似度に基づき、ユーザが対象場所に居るか否かを検出する。
２）第２情報がユーザのウェアラブル機器の第１位置情報であり、且つ、予め記憶された情報が対象場所の第２位置情報である場合には、第１位置情報および第２位置情報に基づき、ユーザが対象場所に居るか否かを検出する。
【００４０】
まず、ユーザが現在の場所に位置しており、サーバが、現在の場所が対象場所であるか否かを検出する必要があると仮定する。一実現形態として、サーバは、現在の場所をカバーする第１ネットワークと、対象場所をカバーする第２ネットワークとが同一である否かを検出する。第１ネットワークと第２ネットワークと同一である場合には、現在の場所が対象場所であり、ユーザが対象場所に居ると確定する。第１ネットワークと第２ネットワークと異なる場合には、現在の場所が対象場所ではなく、ユーザが対象場所に居ないと確定する。なお、第１ネットワークおよび第２ネットワークは、同タイプの例えばＷｉＦｉ（Ｗｉｄｅｌｙ  Ｆｉｄｅｌｉｔｙ）ネットワークである。
【００４１】
第１ネットワークと第２ネットワークとが同一であるか否かの検出については、第１ネットワークの名称と第２ネットワークの名称とが同一であるか否かを検出してもよいが、第１ネットワークと第２ネットワークとが異なるものの、第１ネットワークの名称と第２ネットワークと名称が同一である場合には、サーバが、第１ネットワークと第２ネットワークとが同一であると確定し、判断ミスになる虞がある。そのため、第１ネットワークと第２ネットワークとが同一であると確定した後に、さらに、第１ネットワークにアクセスした各機器のリストである第１機器リスト、および第２ネットワークにアクセスした各機器のリストである第２機器リストに基づき、第１ネットワークと第２ネットワークとが同一であるか否かを検出してもよい。
【００４２】
第１ネットワークがユーザ自宅のネットワークであると仮定し、このときの第１機器リストは、赤外線センサ、スマートカメラやスマートテレビの機器情報を含んでもよい。第２ネットワークがユーザの会社のネットワークであると仮定し、このときの第２機器リストは、コンピュータ、スマートプリンタ、スマート給水機の機器情報を含んでもよい。
【００４３】
ユーザがその場所にある機器を交換したり、その場所にある一部の機器を起動しないことがあるため、同一場所であっても機器リストが異なる可能性がある。そのため、検出の正確性を高めるように、サーバは、第１機器リストと第２機器リストと類似度を検出し、類似度が予定数値よりも大きい場合には、第１ネットワークと第２ネットワークとは同一であり、現在の場所は対象場所であり、ユーザは対象場所に居ると確定してもよい。また、類似度が予定数値よりも小さい場合には、第１ネットワークと第２ネットワークと異なり、現在の場所は対象場所ではなく、ユーザは対象場所に居ないと確定してもよい。なお、予定数値は、デフォルト値であってもよく、ユーザまたはサーバが設定したものであってもよい。
【００４４】
また、第１機器リストと第２機器リストとの類似度が、同様な機器の数である場合、予定数値は、１つ、５つなどの任意の数であってもよい。第１機器リストと第２機器リストとの類似度が、同様な機器の数とリスト内の全機器の数との比率である場合、予定数値は、１０％、２０％などの任意の比率であってもよい。
【００４５】
選択可能な形態として、第２機器リストは予めサーバ内に格納されていてもよい。実際の実現としては、端末は、第２ネットワークにアクセスした後に場所の選択項目を表示する。そしてユーザが選択項目「家」を選択すると、端末は、第２ネットワークにアクセスした各機器をスキャンし、当該各機器の情報を第２機器リスト内に追加し、該第２機器リストをサーバに送信する。図２Ｂに示す第２機器リストの模式図を参照する。図中、第２機器リストには、ルータ、書斎のテレビ、私のハンドリング、私の携帯、さらに機器ごとの識別子などの属性情報が含まれている。
【００４６】
勿論、ユーザは、会社をカバーする第３ネットワークにおける第３機器リストを設定してもよい。この場合、端末は、第１機器リスト、第２機器リストおよび第３機器リストに基づき、ユーザの外出履歴を生成してもよい。図２Ｃに示す外出履歴の模式図を参照する。図中、例えばユーザが０２：２４に帰宅し、１２：１０に出かけ、１２：５０にオフィスに戻ったなど、ユーザの１月９日のスケジュールが示されている。
【００４７】
次に、ユーザが所持している機器を用いて、ユーザの第１位置情報を取得し、該第１位置情報と対象場所の第２位置情報とが一致するか否かを検出してもよい。なお、ユーザが所持している機器は端末、ウェアラブル機器などであってもよいが、本実施例では、ウェアラブル機器の場合を例に説明する。
【００４８】
選択可能な形態として、位置情報は、地理的位置情報であってもよく、ＩＰ（Ｉｎｔｅｒｎｅｔ  Ｐｒｏｔｏｃｏｌ；インターネットプロトコル）アドレスなど、地理的位置を指示可能な情報であってもよい。そのため、第１位置情報および第２位置情報に基づき、ユーザが対象場所に居るか否かを検出する処理は、次のステップを含む。
【００４９】
１）第１位置情報がウェアラブル機器の地理的位置情報であり、且つ、第２位置情報が対象場所の地理的位置情報である場合には、ウェアラブル機器と対象場所と間の距離が所定の閾値よりも小さいか否かを検出する。
２）第１位置情報がウェアラブル機器のＩＰアドレスであり、且つ、第２位置情報が対象場所に対応するネットワークセグメントである場合には、ウェアラブル機器のＩＰアドレスがネットワークセグメントに属すものであるか否かを検出する。
【００５０】
まず、第１位置情報が地理的位置情報である場合、ウェアラブル機器はポインティングシステムにより当該地理的位置情報を取得し、該地理的位置情報をサーバに送信することができる。そしてサーバは、予め記憶された対象場所の地理的位置情報を読み出し、ウェアラブル機器と対象場所との間の距離が、所定の閾値よりも小さいか否かを検出する。ウェアラブル機器と対象場所との間の距離が所定の閾値よりも小さい場合には、ユーザが対象場所に居ると確定し、ウェアラブル機器と対象場所との間の距離が所定の閾値よりも大きい場合には、ユーザが対象場所に居ないと確定する。なお、所定の閾値は、例えば１０ｍ、１００ｍなど、デフォルト値であってもよく、ユーザやサーバが設定したものであってもよい。
【００５１】
次に、第１位置情報がＩＰアドレスである場合、対象場所をカバーする第２ネットワークが通常、何らかのネットワークセグメントに対応しているため、サーバはこの場合において、該ＩＰアドレスが該ネットワークセグメントに属すものであるか否かを検出することができる。該ＩＰアドレスが該ネットワークセグメントに属すものである場合には、ウェアラブル機器が第２ネットワークにアクセスしていると確定することで、ユーザが対象場所に居ると確定する。該ＩＰアドレスが該ネットワークに属すものでない場合には、ウェアラブル機器が第２ネットワークにアクセスしていないと確定することで、ユーザが対象場所に居ないと確定する。
【００５２】
前記方法により、ユーザが対象場所に居ないと確定したときにはステップ２０２を実行し、前記方法により、ユーザが対象場所に居ると確定したときには今回の処理プロセスを終了させ、情報送信方法のプロセスが再起動するまで待機する。
【００５３】
ステップ２０２では、ユーザが対象場所に居ない場合には、対象場所の扉や窓ごとに対応付けられたセンサから送信される状態情報を受信する。
【００５４】
ユーザが対象場所に居ない間は、不審者が開放状態の扉や窓から対象場所に侵入する可能性があるため、サーバが対象場所の扉や窓の状態を取得する必要がある。なお、扉や窓とは、扉および窓の少なくとも一方を指す。
【００５５】
本実施例では、ユーザは、扉や窓の開閉状態を取得し状態情報を生成するセンサを、扉ごとに、および窓ごとに取り付けてもよい。該状態情報は、扉や窓が開放状態であることを示すものであってもよく、扉や窓が閉鎖状態であることを示すものであってもよい。なお、扉や窓のセンサは、扉の磁気センサ、圧力センサ、接近スイッチングセンサ、移動検知センサ、および扉や窓の開閉状態を検出可能な別タイプのセンサのうち、少なくとも１つであってもよい。
【００５６】
実現可能な一形態として、サーバは、ユーザが対象場所に居ないと確定した後に各扉や窓のセンサに状態取得指示を送信し、各扉や窓のセンサは、状態取得指示に基づいて扉や窓の状態を取得すると共に、状態情報を生成してサーバに送信する。
【００５７】
ステップ２０３では、開放状態を示している状態情報の有無を検出する。
【００５８】
サーバは、受信した全ての状態情報のうち、開放状態を示している状態情報を検索し、開放状態を示している状態情報が発見された場合にはステップ２０４を実行し、開放状態を示している状態情報が発見されなかった場合には、対象場所の全ての扉や窓が閉鎖状態であると確定し、今回の処理プロセスを終了させ、情報送信方法のプロセスが再起動するまで待機する。
【００５９】
ステップ２０４では、開放状態を示している状態情報が存在する場合には、対象場所の扉や窓が開放状態であると確定する。
【００６０】
ステップ２０５では、対象場所の扉や窓が開放状態である場合には、ユーザの所持している機器に提示情報を送信する。
【００６１】
サーバは提示情報を生成し、該提示情報をユーザの所持している機器に送信してもよい。例えば、まず、サーバが提示情報をユーザの端末に送信し、端末がそれを受信できず処理動作を行わなかった場合には、サーバが提示情報をウェアラブル機器などに送信する。
【００６２】
なお、提示情報は文字、画像またはマルチメディア情報であってもよいが、本実施例では文字情報を例に説明する。図２Ｄに示す提示情報の模式図を参照する。図には、「ドアが閉まっていないことをセンサが検出」のような提示情報が示されている。端末が提示情報を受信すると、該提示情報をユーザに対して表示する。
【００６３】
選択可能な形態として、サーバは、扉や窓のセンサから、開放状態の扉や窓の位置を特定してもよい。例えば、サーバは、寝室の扉や窓のセンサから送信された、開放状態を示している状態情報を受信すると、寝室の窓が開放状態であると確定し、「寝室の窓が閉まっていないことがセンサにより検出されました」のような提示情報を生成する。
【００６４】
選択可能な形態として、サーバは、ユーザの携帯している機器や対象場所の各機器と、第２機器リストや対象場所の扉や窓のセンサとの対応関係を、予め設定する必要がある。
【００６５】
選択可能な形態として、前記方法は、サーバに適用されてもよく、提示情報の送信に適した別の装置に適用されてもよい。
【００６６】
選択可能な形態として、前記構成は、イベントをトリガーとして実行されてもよく、周期的に実行されてもよい。すなわち、ユーザが対象場所に居るか否かを周期的に検出し、後のステップを実行する。前記方法の実行周期は、デフォルト値であってもよく、ユーザやサーバが設定したものであってもよい。例えば、実行周期は、１分間、５分間などであってもよい。
【００６７】
上記のように、本発明が提供する情報送信方法は、ユーザが対象場所に居るか否かを検出し、ユーザが対象場所に居ない場合には、対象場所の扉や窓が開放状態であるか否かを検出し、対象場所の扉や窓が開放状態である場合にはユーザの所持している機器に提示情報を送信する。これにより、ユーザが対象場所に居るか否かを外出時間帯に基づいて特定するのではなく、ユーザが対象場所に居るか否かを直接に検出することができるため、ユーザが外出時間帯以外の時間に自宅を離れることにより提示が正確でなくなるという課題を解決できる。
【００６８】
また、前記第２情報が第１機器リストであり、且つ、前記予め記憶された情報が第２機器リストである場合には、前記第１機器リストと前記第２機器リストとの類似度に基づき、前記ユーザが前記対象場所に居るか否かを検出し、さらに、ネットワークにアクセスした各機器に基づき、特定ユーザが対象場所に居るか否かを確定するため、検出の正確性が向上している。
【００６９】
図３は、例示的な一実施例に係る情報送信装置を示すブロック図である。該情報送信装置は、サーバに適用される装置である。図３に示すように、該情報送信装置は、第１検出モジュール３１０、第２検出モジュール３２０および情報送信モジュール３３０を含む。
【００７０】
該第１検出モジュール３１０は、ユーザが対象場所に居るか否かを検出するように構成されている。
【００７１】
該第２検出モジュール３２０は、ユーザが対象場所に居ないことを第１検出モジュール３１０が検出した場合には、対象場所の扉や窓が開放状態であるか否かを検出するように構成されている。
【００７２】
該情報送信モジュール３３０は、対象場所の扉や窓が開放状態であることを第２検出モジュール３２０が検出した場合には、ユーザの所持している機器に提示情報を送信するように構成されている。
【００７３】
上記のように、本発明が提供する情報送信装置は、ユーザが対象場所に居るか否かを検出し、ユーザが対象場所に居ない場合には、対象場所の扉や窓が開放状態であるか否かを検出し、対象場所の扉や窓が開放状態である場合には、ユーザの所持している機器に提示情報を送信する。これにより、ユーザが対象場所に居るか否かを外出時間帯に基づいて特定するのではなく、ユーザが対象場所に居るか否かを直接に検出することができるため、ユーザが外出時間帯以外の時間に自宅を離れることにより提示が正確でなくなるという課題を解決できる。
【００７４】
図４は、例示的な一実施例に係る情報送信装置を示すブロック図である。該情報送信装置はサーバに適用される装置である。図４に示すように、該情報送信装置は、第１検出モジュール４１０、第２検出モジュール４２０および情報送信モジュール４３０を含む。
【００７５】
該第１検出モジュール４１０は、ユーザが対象場所に居るか否かを検出するように構成されている。
【００７６】
該第２検出モジュール４２０は、ユーザが対象場所に居ないことを第１検出モジュール４１０が検出した場合には、対象場所の扉や窓が開放状態であるか否かを検出するように構成されている。
【００７７】
該情報送信モジュール４３０は、対象場所の扉や窓が開放状態であることを第２検出モジュール４２０が検出した場合には、ユーザの所持している機器に提示情報を送信するように構成されている。
【００７８】
選択可能な形態として、第１検出モジュール４１０は、第１検出サブモジュール４１１または第２検出サブモジュール４１２を含む。
【００７９】
該第１検出サブモジュール４１１は、対象場所における機器から送信される第１情報を受信し、ユーザが対象場所に居るか否かを第１情報に基づいて検出するように構成されている。
【００８０】
または、該第２検出サブモジュール４１２は、ユーザの所持している機器から送信される、ユーザの位置を示す第２情報を受信すると共に、第２情報、および、対象場所に対応付けられて予め記憶された情報であって対象場所の位置を示す情報に基づき、ユーザが対象場所に居るか否かを検出するように構成されている。
【００８１】
選択可能な形態として、第１検出サブモジュールは、移動検出サブモジュール４１１１または退去検出サブモジュール４１１２を含む。
【００８２】
該移動検出サブモジュール４１１１は、第１情報が人の動き情報である場合には、人の動き情報に基づき、予定時間帯に人が対象場所内で移動している否かを検出するように構成されている。
【００８３】
該退去検出サブモジュール４１１２は、第１情報が、対象場所を監視して得た監視情報である場合には、監視情報に基づき、ユーザが対象場所を離れたか否かを検出するように構成されている。
【００８４】
選択可能な形態として、第２検出サブモジュール４１２は、リスト検出サブモジュール４１２１または位置検出サブモジュール４１２２を含む。
【００８５】
該リスト検出サブモジュール４１２１は、第２情報が、ユーザが居る現在の場所をカバーするネットワークである第１ネットワークにアクセスした各機器のリストである第１機器リストであり、且つ、予め記憶された情報が、対象場所をカバーするネットワークである第２ネットワークにアクセスした各機器のリストである第２機器リストである場合には、第１機器リストと第２機器リストとの類似度に基づき、ユーザが対象場所に居るか否かを検出するように構成されている。
【００８６】
該位置検出サブモジュール４１２２は、第２情報がユーザのウェアラブル機器の第１位置情報であり、且つ、予め記憶された情報が対象場所の第２位置情報である場合には、第１位置情報および第２位置情報に基づき、ユーザが対象場所に居るか否かを検出するように構成されている。
【００８７】
選択可能な形態として、位置検出サブモジュール４１２２は、さらに、
第１位置情報がウェアラブル機器の地理的位置情報であり、且つ、第２位置情報が対象場所の地理的位置情報である場合には、ウェアラブル機器と対象場所と間の距離が、所定の閾値よりも小さいか否かを検出し、
第１位置情報がウェアラブル機器のインターネットプロトコル（ＩＰ）アドレスであり、且つ、第２位置情報が対象場所に対応するネットワークセグメントである場合には、ウェアラブル機器のＩＰアドレスがネットワークセグメントに属すものであるか否かを検出する、ように構成されている。
【００８８】
選択可能な形態として、第２検出モジュール４２０は、情報受信サブモジュール４２１、状態検出サブモジュール４２２および状態特定サブモジュール４２３を含む。
【００８９】
該情報受信サブモジュール４２１は、対象場所の扉や窓ごとに対応付けられたセンサから送信される状態情報を受信するように構成されている。
【００９０】
該状態検出サブモジュール４２２は、開放状態を示している状態情報の有無を検出するように構成されている。
【００９１】
該状態特定サブモジュール４２３は、開放状態を示している状態情報の存在を状態検出サブモジュール４２２が検出した場合には、対象場所の扉や窓が開放状態であると確定するように構成されている。
【００９２】
上記のように、本発明が提供する情報送信装置は、ユーザが対象場所に居るか否かを検出し、ユーザが対象場所に居ない場合には、対象場所の扉や窓が開放状態であるか否かを検出し、対象場所の扉や窓が開放状態である場合には、ユーザの所持している機器に提示情報を送信する。これにより、ユーザが対象場所に居るか否かを外出時間帯に基づいて特定するのではなく、ユーザが対象場所に居るか否かを直接に検出することができるため、ユーザが外出時間帯以外の時間に自宅を離れることにより提示が正確でなくなるという課題を解決できる。
【００９３】
また、前記第２情報が第１機器リストであり、且つ、前記予め記憶された情報が第２機器リストである場合には、前記第１機器リストと前記第２機器リストとの類似度に基づき、前記ユーザが前記対象場所に居るか否かを検出し、さらに、ネットワークにアクセスした各機器に基づき、特定ユーザが対象場所に居るか否かを確定するため、検出の正確性が向上している。
【００９４】
前記実施例に係る装置における各モジュールの動作実行の具体的形態については、対応の方法の実施例において既に説明されたため、ここでその説明を省略する。
【００９５】
本発明の例示的な一実施例で提供される情報送信装置は、本発明が提供する情報送信方法を実現可能なものである。該情報送信装置は、プロセッサと、プロセッサが実行可能なコマンドを記憶するメモリと、を含み、
プロセッサは、
ユーザが対象場所に居るか否かを検出し、
ユーザが対象場所に居ない場合には、対象場所の扉や窓が開放状態であるか否かを検出し、
対象場所の扉や窓が開放状態である場合には、ユーザの所持している機器に提示情報を送信するように、構成されている。
【００９６】
図５は、例示的な一実施例に係る情報送信のための装置５００を示すブロック図である。装置５００は、例えばサーバとして提供されてもよい。図５を参照すると、装置５００はプロセッサアセンブリ５２２を含み、プロセッサアセンブリ５２２は、さらに１つまたは複数のプロセッサと、代表として、プロセッサアセンブリ５２２が実行可能な例えばアプリケーションなどのコマンドを記憶するためのメモリ５３２であるメモリリソースと、を含む。メモリ５３２に記憶されているアプリケーションは、１セットのコマンドごとにモジュールを１つ又は１つ以上含んでもよい。また、プロセッサアセンブリ５２２は、上記情報送信方法を実行するためのコマンドを実行するように構成されている。
【００９７】
装置５００は、装置５００の電源管理を実行するように構成された電源アセンブリ５２６と、装置５００をネットワークに接続させるように構成された有線または無線のネットワークインターフェース５５０と、入力／出力（Ｉ／Ｏ）インターフェース５５８とを含んでもよい。また、装置５００は、メモリ５３２に記憶されているオペレーションシステム、例えばＷｉｎｄｏｗｓ  ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭ、または類似のシステムに基づいて動作してもよい。
【００９８】
なお、当業者は、本明細書に開示された内容を参照し実施することにより、本発明の他の実施形態を容易に見い出せる。本願は、本発明のいかなる変形、用途、又は適用可能な変化を包含することが意図されている。当該いかなる変形、用途、又は適用可能な変化は、本発明の一般的原理に従うものであり、且つ本明細書に記載されていない本技術分野における公知常識や慣用の技術的手段を含む。明細書及び実施例はあくまでも例示的なものであり、本発明の真正の保護範囲および精神は、特許請求の範囲により特定される。
【００９９】
また、本発明は、上記の記載と共に図面に開示された構成に限定されるものではなく、本発明の範囲を逸脱しない限り、様々な改修又は変更が行えることが理解されるべきである。本発明の範囲は、特許請求の範囲のみにより規定される。 
【図１】
0006273046.tif 000002
【図２Ａ】
0006273046.tif 000003
【図２Ｂ】
0006273046.tif 000004
【図２Ｃ】
0006273046.tif 000005
【図２Ｄ】
0006273046.tif 000006
【図３】
0006273046.tif 000007
【図４】
0006273046.tif 000008
【図５】
0006273046.tif 000009